(57)【特許請求の範囲】
【請求項１】
環境に優しい自動車において発電作動時にバッテリーが充電されるモーターの永久磁石の不可逆減磁を診断する方法であって、
前記モーターの作動状態情報を取得する段階；
前記取得された前記モーターの作動状態情報から、前記モーターが発電作動している状態を含む診断進入条件を満足するかどうかを判断する段階；
前記診断進入条件を満足するとき、前記モーターの不可逆減磁の診断のために、前記モーターの発電作動によって前記バッテリーに充電される診断時のＤＣ電流値情報を取得する段階；及び
前記取得された診断時のＤＣ電流値情報を予め保存されている永久磁石の正常状態時のＤＣ電流値情報と比較して不可逆減磁の発生有無を判断する段階を含み、
前記診断時のＤＣ電流値が前記正常状態時のＤＣ電流値に対して設定比率以下の場合、前記モーターの永久磁石の不可逆減磁が発生したと判断し、
前記設定比率の値をＡ、他の設定比率の値をＢ（Ｂ＜Ａ）とし、正常状態時のＤＣ電流値に対する診断時のＤＣ電流値の比率値をαとするとき（α＝診断時のＤＣ電流値／正常状態時のＤＣ電流値）、前記不可逆減磁の発生有無を判断する段階で、Ｂ＜α≦Ａの状態であれば前記モーターの永久磁石の不可逆減磁の状態と判断し、診断時のＤＣ電流値と正常状態時のＤＣ電流値に基づいて補償された前記モーターのトルク指令値によって前記モーターの発電トルクを制御する不可逆減磁時のトルク補償制御を行うことを特徴とする、環境に優しい自動車のモーター減磁診断方法。
【請求項２】
前記不可逆減磁時のトルク補償制御は、
前記正常状態時のＤＣ電流値に対する診断時のＤＣ電流値の比率値αから不可逆減磁時のトルク補償値を計算する段階；及び
前記不可逆減磁時のトルク補償値が反映されたトルク指令値によって前記モーターの発電トルクを制御する段階を含むことを特徴とする、請求項１に記載の環境に優しい自動車のモーター減磁診断方法。
【請求項３】
前記トルク補償値は、正常状態の前記モーターの発電トルク制御のために、トルク指令とモーター速度によって正常状態時のトルク補償値が設定されているトルク補償テーブルのトルク補償値にトルク指令×（１−α）の値を加えた値に決定されることを特徴とする、請求項２に記載の環境に優しい自動車のモーター減磁診断方法。
【請求項４】
前記不可逆減磁の発生有無を判断する段階で、α≦Ｂの状態であれば、前記モーターの永久磁石の不可逆減磁故障を確定し、故障状態を運転者に知らせるための警告装置を作動させることを特徴とする、請求項３に記載の環境に優しい自動車のモーター減磁診断方法。
【請求項５】
前記永久磁石の正常状態時のＤＣ電流値情報は、正常状態の同一モーターの作動状態が前記モーターの永久磁石の不可逆減磁診断のための前記診断進入条件と同一である条件を満足するとき、前記正常状態の前記モーターの発電作動によって前記バッテリーに充電されるＤＣ電流値情報を、前記診断時のＤＣ電流値情報の取得と同様な方法で取得して保存したものであることを特徴とする、請求項１に記載の環境に優しい自動車のモーター減磁診断方法。
【請求項６】
前記永久磁石の正常状態時のＤＣ電流値情報は、車両出庫後の初期運行時に前記モーターの状態を正常状態と仮定し、初期運行時の前記モーターの作動状態が前記診断進入条件と同一である条件を満足するときに取得して保存したものであることを特徴とする、請求項５に記載の環境に優しい自動車のモーター減磁診断方法。
【請求項７】
前記モーターが、ハイブリッド自動車のエンジンに動力伝達可能に連結され、前記エンジンの始動及び発電作動の際に前記バッテリーを充電するハイブリッドスターター−ジェネレーター（ＨＳＧ：Ｈｙｂｒｉｄ Ｓｔａｒｔｅｒ ａｎｄ Ｇｅｎｅｒａｔｏｒ）であることを特徴とする、請求項１に記載の環境に優しい自動車のモーター減磁診断方法。
【請求項８】
前記診断進入条件が、前記エンジンのアイドル運転状態で前記エンジンから伝達される回転力によって前記ハイブリッドスターター−ジェネレーターが発電作動するアイドル充電状態を含むことを特徴とする、請求項７に記載の環境に優しい自動車のモーター減磁診断方法。
【請求項９】
前記診断進入条件を満足する状態で、前記ハイブリッドスターター−ジェネレーターの発電作動によって前記バッテリーに充電されるＤＣ電流値の設定時間以上のうちの平均値が診断時のＤＣ電流値として求められることを特徴とする、請求項７に記載の環境に優しい自動車のモーター減磁診断方法。
【請求項１０】
前記モーターが車両走行のための駆動源として使われる駆動モーターであることを特徴とする、請求項１に記載の環境に優しい自動車のモーター減磁診断方法。
【請求項１１】
前記診断進入条件が、前記駆動モーターの発電作動状態である回生充電状態を含むことを特徴とする、請求項１０に記載の環境に優しい自動車のモーター減磁診断方法。
【請求項１２】
前記診断進入条件が、前記駆動モーターの回生充電が行われるうち前記駆動モーターに対するトルク指令が設定範囲１以下である条件と、前記駆動モーターの温度が設定範囲２以下である条件とをさらに含むことを特徴とする、請求項１１に記載の環境に優しい自動車のモーター減磁診断方法。
【請求項１３】
前記診断進入条件を満足するとき、前記駆動モーターのトルク制御のためのトルク指令値を積算し、前記駆動モーターの発電作動によって前記バッテリーに充電されるＤＣ電流値を積算し、前記トルク指令値を積算したトルク指令積算値が設定値に到逹するうちにＤＣ電流値を積算したＤＣ積算値が診断時のＤＣ電流値として求められることを特徴とする、請求項１０に記載の環境に優しい自動車のモーター減磁診断方法。
【発明の詳細な説明】
【技術分野】
【０００１】
本発明は環境に優しい自動車のモーター減磁診断方法に係り、より詳しくは環境に優しい自動車の駆動モーター又はエンジンの始動及び発電（バッテリー充電）のためのハイブリッドスターター−ジェネレーター（ＨＳＧ）の永久磁石の不可逆減磁状態を診断する方法に関する。
【背景技術】
【０００２】
周知のように、電気自動車（ＥＶ：Ｅｌｅｃｔｒｉｃ Ｖｅｈｉｃｌｅ）、ハイブリッド自動車（ＨＥＶ：Ｈｙｂｒｉｄ Ｅｌｅｃｔｒｉｃ Ｖｅｈｉｃｌｅ）、燃料電池自動車（ＦＣＥＶ：Ｆｕｅｌ Ｃｅｌｌ Ｅｌｅｃｔｒｉｃ Ｖｅｈｉｃｌｅ）のような環境に優しい自動車においては車両走行のための駆動源としてモーター（駆動モーター）を使っている。
【０００３】
また、駆動モーターを駆動するための電力変換装置として高電圧バッテリー（メインバッテリー）や燃料電池のような高電圧電源が供給する電力を変換してモーターに印加するインバーターが搭載されている。
【０００４】
前記駆動モーターはインバーターから電力ケーブルを介して伝達される３相交流電流によって駆動され、インバーターは制御器のＰＷＭ（Ｐｕｌｓｅ Ｗｉｄｔｈ Ｍｏｄｕｌａｔｉｏｎ）信号に応じてパワーモジュールのスイッチング素子がスイッチング駆動されて高電圧電源の直流電流を３相交流電流に変換する。
【０００５】
また、ハイブリッド自動車においては、駆動モーターとともに、車両走行のための他の駆動源としてエンジン（内燃機関）を使っており、さらにエンジンに動力を伝達することができるように連結されたハイブリッドスターター−ジェネレーター（ＨＳＧ：Ｈｙｂｒｉｄ Ｓｔａｒｔｅｒ ａｎｄ Ｇｅｎｅｒａｔｏｒ、以下‘ＨＳＧ’という）が備えられる。
【０００６】
ＨＳＧは、モーターによる作動の際、回転動力をベルトなどを介してエンジンに伝達してエンジンを始動し、エンジンからベルトなどを介して伝達される回転力によって発電を行い、発電時に生成される電気エネルギーで車両のバッテリーを充電することになる。
【０００７】
ハイブリッド自動車のパワートレイン構成のうち、変速機が駆動モーター側に付いているＴＭＥＤ（Ｔｒａｎｓｍｉｓｓｉｏｎ Ｍｏｕｎｔｅｄ Ｅｌｅｃｔｒｉｃ Ｄｅｖｉｃｅ）システムにおいて、駆動モーターはＥＶモード及びＨＥＶモードで車両の駆動源として使われるとともに回生制動に使われ、ＨＳＧはエンジンの始動及びアイドル充電の機能をすることになる。
【０００８】
ＴＭＥＤシステムとは異なり、駆動モーターがないマイルド（Ｍｉｌｄ）ハイブリッドシステムにおいては、ＨＳＧが車両減速又は惰行走行（ｃｏａｓｔｉｎｇ）の際、エンジンから回転力を受けて発電を行う回生制動に使われるとともにエンジン出力を補助する車両駆動源として使われる。
【０００９】
一方、環境に優しい自動車のモーター、つまり駆動モーターやＨＳＧは永久磁石同期モーター（ＰＭＳＭ：Ｐｅｒｍａｎｅｎｔ Ｍａｇｎｅｔ Ｓｙｎｃｈｒｏｎｏｕｓ Ｍｏｔｏｒ）であることができ、駆動モーターやＨＳＧのような永久磁石型モーターの場合、減磁可能性の問題点を抱いている。
【００１０】
モーターに使われる永久磁石は温度が上がるに伴って磁束が弱くなり、また温度が低くなれば磁束が回復する特性を持つ。温度が上がるに伴って磁束が弱くなる現象を減磁現象と言う。
【００１１】
また、永久磁石が磁束の回復が可能な領域まで減磁されれば、可逆減磁と言い、磁束の回復が不可能な領域まで減磁されれば、不可逆減磁と言う。不可逆減磁が発生した場合、一定温度以上に温度が上昇してから温度が低くなっても磁束は回復されなくなる。
【００１２】
環境に優しい自動車のモーターにおいて、前記のような永久磁石の不可逆減磁（ｉｒｒｅｖｅｒｓｉｂｌｅ ｄｅｍａｇｎｅｔｉｚａｔｉｏｎ）が発生すれば、駆動モーター及びＨＳＧの性能が落ちるので、走行性能及び充電性能などの車両の全般的な性能が低下することができる。
【００１３】
また、不可逆減磁がもっと深くなる場合、走行不可、エンジン始動不可、バッテリー損傷などのような致命的な問題が発生し得る。
【００１４】
したがって、車両永久磁石の不可逆減磁状態をモニタリングすることが必要であり、不可逆減磁発生の際、運転者に車両状態を知らせたり車両性能に及ぶ影響を最小化したりすることができる技術が必要である。
【００１５】
しかし、従来の場合、減磁判断のために温度センサーのようなハードウェアが必要であり、センサーなどによる減磁判断は行うが、トルク補償のような減磁発生時の対応技術又は不可逆減磁が車両性能に及ぶ影響を減らすための対応技術の適用は未だないのが実情である。
【００１６】
環境に優しい自動車において永久磁石の不可逆減磁が発生しないようにすることが重要であるため、不可逆減磁が発生した時の対応技術も重要な事項であり、不可逆減磁がそのものだけで大きな問題になり得るが、不可逆減磁が発生したというのは車両に他の問題があり得る可能性も高いことを意味し、よって車両において永久磁石の不可逆減磁をモニタリングすることは不可逆減磁そのものよりも大きな意味を持っている。
【００１７】
環境に優しい自動車において冷却系の故障によってモーターが冷却されない場合や温度センサーの故障によってモーターの温度をモニタリングすることができない場合、モーターが過熱して不可逆減磁が発生し得る。
【００１８】
このように、一旦不可逆減磁が発生すれば、永久磁石の磁気力は元の状態に回復することができなくて車両の出力性能の低下に直接的な影響を及ぼすことになる。
【００１９】
環境に優しい自動車において、モーターに使用された永久磁石の減磁状態を感知することや減磁診断時の対応技術に関連した先行技術文献として、アメリカ特許第６，６７９，３４６号には、駆動モーター（ｔｒａｃｔｉｏｎ ｍｏｔｏｒ）とＨＳＧ（ｇｅｎｅｒａｔｏｒ ｍｏｔｏｒ）に直結された電圧センサーで駆動モーターやＨＳＧの減磁を判断した後、減磁発生を運転者に知らせることで、減磁が発生しなかった他の動力源を用いるようにする技術が開示されている。
【００２０】
しかし、前述した先行技術においては、減磁判断のためのハードウェア、つまり電圧センサーを用いることによるコスト増加の問題点を持っている。
【００２１】
また、大韓民国登録特許第１０−１２１０８２５号（２０１２．１２．５）には、回転子が停止状態にあるとき、永久磁石の極方向に直流磁界と交流磁界が重畳した複数の磁界を発生させ、この時に発生した磁界のそれぞれに対応して固定子巻線に流れる電流を測定した後、固定子巻線に流れる電流の永久磁石の極方向成分値に対するディファレンシャルインダクタンスの変化推移に基づいて永久磁石の減磁状態と回転子の偏心状態を診断する技術が開示されている。
【００２２】
ここで、ディファレンシャルインダクタンスは、発生した磁界に含まれている交流磁界成分による電流の永久磁石極方向成分値変化量に対する、交流磁界成分から測定された鎖交磁束（ｆｌｕｘ ｌｉｎｋａｇｅ）の永久磁石極方向成分値変化量に定義される。
【００２３】
しかし、前述した先行技術においては、回転子停止状態で電流を印加するので、モーターの不使用の際、電流印加による効率悪化の問題点を持っている。
【先行技術文献】
【特許文献】
【００２４】
【特許文献１】アメリカ特許第６，６７９，３４６号公報
【特許文献２】大韓民国登録特許第１０−１２１０８２５号公報
【発明の概要】
【発明が解決しようとする課題】
【００２５】
したがって、本発明は前記のような問題点を解決するために新たになされたもので、駆動モーターやＨＳＧの永久磁石の不可逆減磁が車両性能に及ぶことができる影響を最小化しながら別のハードウェアの追加使用、コスト増加、又は効率低下なしに駆動モーターやＨＳＧの永久磁石の不可逆減磁状態を正確に診断することができる、環境に優しい自動車のモーター減磁診断方法を提供することにその目的がある。
【課題を解決するための手段】
【００２６】
前述した目的を達成するために、本発明によれば、環境に優しい自動車において発電作動時にバッテリーが充電されるモーターの永久磁石の不可逆減磁を診断する方法であって、前記モーターの作動状態情報を取得する段階；前記取得された前記モーターの作動状態情報から、前記モーターが発電作動している状態を含む診断進入条件を満足するかどうかを判断する段階；前記診断進入条件を満足するとき、前記モーターの不可逆減磁の診断のために、前記モーターの発電作動によって前記バッテリーに充電される診断時のＤＣ電流値情報を取得する段階；及び前記取得された診断時のＤＣ電流値情報を予め保存されている永久磁石の正常状態時のＤＣ電流値情報と比較して不可逆減磁の発生有無を判断する段階を含む、環境に優しい自動車のモーター減磁診断方法を提供する。
【００２７】
前記診断時のＤＣ電流値が前記正常状態時のＤＣ電流値に対して設定比率以下の場合、前記モーターの永久磁石の不可逆減磁が発生したと判断することができる。
【００２８】
前記設定比率の値をＡ、他の設定比率の値をＢ（Ｂ＜Ａ）とし、正常状態時のＤＣ電流値に対する診断時のＤＣ電流値の比率値をαとするとき（α＝診断時のＤＣ電流値／正常状態時のＤＣ電流値）、前記不可逆減磁の発生有無を判断する段階で、Ｂ＜α≦Ａの状態であれば前記モーターの永久磁石の不可逆減磁の状態と判断し、診断時のＤＣ電流値と正常状態時のＤＣ電流値に基づいて補償された前記モーターのトルク指令値によって前記モーターの発電トルクを制御する不可逆減磁時のトルク補償制御を行うことができる。
【００２９】
前記不可逆減磁時のトルク補償制御は、前記正常状態時のＤＣ電流値に対する診断時のＤＣ電流値の比率値αから不可逆減磁時のトルク補償値を計算する段階；及び前記不可逆減磁時のトルク補償値が反映されたトルク指令値によってモーターの発電トルクを制御する段階を含むことができる。
【００３０】
前記トルク補償値は、正常状態のモーターの発電トルク制御のために、トルク指令と前記モーター速度によって正常状態時のトルク補償値が設定されているトルク補償テーブルのトルク補償値にトルク指令×（１−α）の値を加えた値に決定されることができる。
【００３１】
前記不可逆減磁の発生有無を判断する段階で、α≦Ｂの状態であれば、前記モーターの永久磁石の不可逆減磁故障を確定し、故障状態を運転者に知らせるための警告装置を作動させることができる。
【００３２】
前記永久磁石の正常状態時のＤＣ電流値情報は、正常状態の同一モーターの作動状態が前記モーターの永久磁石の不可逆減磁診断のための前記診断進入条件と同一である条件を満足するとき、前記正常状態の前記モーターの発電作動によって前記バッテリーに充電されるＤＣ電流値情報を、前記診断時のＤＣ電流値情報の取得と同様な方法で取得して保存したものであってもよい。
【００３３】
前記永久磁石の正常状態時のＤＣ電流値情報は、車両出庫後の初期運行時に前記モーターの状態を正常状態と仮定し、初期運行時の前記モーターの作動状態が前記診断進入条件と同一である条件を満足するときに取得して保存したものであってもよい。
【００３４】
前記モーターが、ハイブリッド自動車のエンジンに動力伝達可能に連結されて前記エンジンの始動及び発電作動の際に前記バッテリーを充電するハイブリッドスターター−ジェネレーター（ＨＳＧ：Ｈｙｂｒｉｄ Ｓｔａｒｔｅｒ ａｎｄ Ｇｅｎｅｒａｔｏｒ）であってもよい。
【００３５】
前記診断進入条件が、エンジンのアイドル運転状態で前記エンジンから伝達される回転力によって前記ハイブリッドスターター−ジェネレーターが発電作動するアイドル充電状態を含むことができる。
【００３６】
前記診断進入条件を満足する状態で、前記ハイブリッドスターター−ジェネレーターの発電作動によって前記バッテリーに充電されるＤＣ電流値の設定時間以上のうちの平均値が診断時のＤＣ電流値として求められることができる。
【００３７】
前記モーターが車両走行のための駆動源として使われる駆動モーターであってもよい。
【００３８】
前記診断進入条件が、前記駆動モーターの発電作動状態である回生充電状態を含むことができる。
【００３９】
前記診断進入条件が、前記駆動モーターの回生充電が行われるうち前記駆動モーターに対するトルク指令が設定範囲１以下である条件と、前記駆動モーターの温度が設定範囲２以下である条件とをさらに含むことができる。
【００４０】
前記診断進入条件を満足するとき、前記駆動モーターのトルク制御のためのトルク指令値を積算し、前記駆動モーターの発電作動によって前記バッテリーに充電されるＤＣ電流値を積算し、前記トルク指令値を積算したトルク指令積算値が設定値に到逹するうちにＤＣ電流値を積算したＤＣ積算値が診断時のＤＣ電流値として求められることができる。
【発明の効果】
【００４１】
このように、本発明による環境に優しい自動車のモーター減磁診断方法は、発電作動の際、バッテリーに充電されるＤＣ電流とトルク指令値情報を用いて不可逆減磁診断を行うように構成されるので、駆動モーターやＨＳＧの永久磁石の不可逆減磁が車両性能に及ぶことができる影響を最小化しながら別のハードウェアの追加使用、コスト増加、又は効率低下なしに駆動モーターやＨＳＧの永久磁石の不可逆減磁状態を正確に診断することができることになる。
【図面の簡単な説明】
【００４２】
【図１】本発明の実施例においてＨＳＧの不可逆減磁診断及び対応過程を示すフローチャートである。
【図２】本発明の他の実施例において駆動モーターの不可逆減磁診断及び対応過程を示すフローチャートである。
【図３】本発明において電流マップ分析によるロジッグ設定方法を説明するための図である。
【発明を実施するための形態】
【００４３】
以下、添付図面を参照して本発明の実施例について本発明が属する技術分野で通常の知識を持った者が容易に実施することができるように詳細に説明する。
【００４４】
本発明は、駆動モーターやＨＳＧの永久磁石の不可逆減磁が車両性能に及ぶことができる影響を最小化しながら別のハードウェアの追加使用、コスト増加、又は効率低下なしに駆動モーターやＨＳＧの永久磁石の不可逆減磁状態を正確に診断することができる、環境に優しい自動車のモーター減磁診断方法を提供しようとするものである。
【００４５】
まず、本発明によるモーターの不可逆減磁診断方法において、ハイブリッド自動車においてＨＳＧ（ハイブリッドスターター−ジェネレーター、Ｈｙｂｒｉｄ Ｓｔａｒｔｅｒ ａｎｄ Ｇｅｎｅｒａｔｏｒ）の永久磁石の不可逆減磁状態を診断し、不可逆減磁発生時の対応する方法について説明する。
【００４６】
図１はＨＳＧの不可逆減磁診断及び対応過程を示すフローチャートであって、図示のように、ＨＳＧの永久磁石に対する不可逆減磁診断を行うための診断進入条件、つまり診断遂行のためのＨＳＧの作動状態条件が予め設定される。
【００４７】
このような診断進入条件は、同一条件での比較のために、後述する実際診断時のＤＣ電流を計算する過程だけでなく正常状態でのＤＣ電流を計算するのにも同様に適用される。
【００４８】
本発明において、ＨＳＧの永久磁石の不可逆減磁診断はＨＳＧの作動状態を確認して所定の条件に当たれば遂行するように設定され（Ｓ１５段階参照）、このような条件は診断比較値を求めて保存しておくための正常状態でのＤＣ電流計算過程にも同様に適用されるものである。
【００４９】
好ましくは、ＨＳＧのアイドル充電作動の際に不可逆減磁診断が行われるように設定することができる。
【００５０】
ＴＭＥＤシステムのパワートレインの構成を持つハイブリッド自動車の場合、同様な一定運転条件（車両停車中の同一運転点）でアイドル充電がなされるので、同一条件の充電の際、バッテリーに印加されているＤＣ電流値（バッテリーに充電されるＤＣ電流）を比較するときに信頼性が高い。
【００５１】
したがって、本発明は、エンジンのアイドル運転状態でエンジンから伝達される回転力によってＨＳＧが発電作動してバッテリーの充電がなされるうち、バッテリーに充電されているＤＣ電流情報を用いて永久磁石の不可逆減磁診断を行うことになる。
【００５２】
前記ＤＣ電流情報は制御器が既存にモニタリングしている変数なので、本発明のように不可逆減磁診断のためにＤＣ電流情報を活用する場合、追加的な作業やハードウェアが必要でない。
【００５３】
したがって、同一条件で求められる正常状態でのＤＣ電流情報と実際診断時のＤＣ電流情報を比較してＨＳＧの永久磁石の不可逆減磁を判断することになり、本発明の不可逆減磁診断方法は診断比較値として正常状態でのＤＣ電流情報を求める過程を含む。
【００５４】
ＨＳＧの永久磁石の不可逆減磁診断のために、まず、図１に示したように、車両出庫後の初期運行時にはＨＳＧの永久磁石が正常状態であると仮定し、車両が初期運行されるとき、正常状態の際にＤＣ電流値（ＤＣ電流＿正常）を計算して保存することになる。
【００５５】
この際、初期運行時の正常状態で制御器がＨＳＧのアイドル充電状態を確認した後（Ｓ１１）、現在アイドル充電状態の場合、ＨＳＧの発電作動によってバッテリーに充電されているＤＣ電流値を計算して保存する（Ｓ１２〜Ｓ１４）。
【００５６】
不可逆減磁判断のために後述するようにモニタリングするＤＣ電流と同一条件で比較するために正常状態時にＤＣ電流値計算が行われる条件はＳ１１段階でアイドル充電時であると設定される。
【００５７】
また、好適な実施例において、正常状態時のＤＣ電流値（ＤＣ電流＿正常）はアイドル充電遂行時に所定の設定時間（Ｘ）以上のうちのＤＣ電流平均値（Ａｖｅｒａｇｅ（ＤＣ電流））として取られ（Ｓ１２〜Ｓ１４）、設定時間以上のうちのアイドル充電遂行時に平均値を取って使うことによって診断の信頼性を向上させることができる。
【００５８】
ＨＳＧの発電作動中にバッテリーに充電されるＤＣ電流値はハイブリッド自動車においてセンサーなどによって既にモニタリングされている変数であり、ＤＣ電流値の取得は公知の技術的事項なので、その詳細な説明を省略する。
【００５９】
ついで、追後の車両運行過程でＨＳＧの作動状態情報を取得して確認し（Ｓ１５）、アイドル充電時であれば不可逆減磁診断過程に進み、アイドル充電状態で同一方式で診断のためのＤＣ電流値を計算する（Ｓ１６〜Ｓ１８）。
【００６０】
この際、診断時のＤＣ電流値（ＤＣ電流＿診断）は、アイドル充電の際、所定の設定時間（Ｘ）以上のうちのＤＣ電流平均値として取られ（Ｓ１６〜Ｓ１８）、設定時間以上のうちのアイドル充電時に平均値を取って使うことにより診断の信頼性を向上させることができる。
【００６１】
ついで、制御器は、求められた診断時のＤＣ電流値（ＤＣ電流＿診断）を正常状態時のＤＣ電流値（ＤＣ電流＿正常）と比較して不可逆減磁有無及び減磁程度を判断することになる。この際、診断時のモニタリングしているＤＣ電流、つまり診断時のＤＣ電流値（ＤＣ電流＿診断）の保存された正常状態時のＤＣ電流値（ＤＣ電流＿正常）に対する所定の設定比率が１以下の場合、不可逆減磁と判断する。
【００６２】
すなわち、正常状態時のＤＣ電流（ＤＣ電流＿正常）に対する診断時のＤＣ電流（ＤＣ電流＿診断）の比率値、つまり（ＤＣ電流＿診断）／（ＤＣ電流＿正常）をαとし、設定比率１の値をＡとするとき、α≦Ａであれば不可逆減磁が発生したと判断するものである（Ｓ１９）。
【００６３】
好適な実施例において、不可逆減磁の発生程度によって不可逆減磁によって車両性能に及ぶ影響を最小化することができるようにトルク補償制御を行って対応し（Ｓ２２）、あるいは故障を確定して警告装置を介して運転者に知らせる過程を行うことができる（Ｓ２１）。
【００６４】
この際、所定の設定比率２の値をＢ（Ｂ＜Ａ）であるとするとき、Ｂ＜α≦Ａであれば不可逆減磁と判断した後、ＨＳＧに対するトルク補償制御を行い（Ｓ１９、Ｓ２０、Ｓ２２）、診断時のＤＣ電流値（ＤＣ電流＿診断）が保存された正常状態時のＤＣ電流（ＤＣ電流＿正常）値に対して所定の設定比率２以下の場合、つまりα≦Ｂの場合、ＨＳＧの永久磁石の不可逆減磁故障と確定して警告装置によって警告することになる（Ｓ２０、Ｓ２１）。
【００６５】
以下、ＨＳＧに対する不可逆減磁判断時に行われるトルク補償制御について説明すれば次のようである。
【００６６】
通常の環境に優しい自動車のモーター、つまり駆動モーターやＨＳＧのトルク制御のために、車両の制御器には下記の表１のようなトルク補償テーブルが備えられており、トルク補償テーブルはトルク軸と速度軸を持ち、トルクと速度によってトルク補償値が設定されているので、前記トルク補償テーブルから求められたトルク補償値を反映して、駆動モーターの回生充電の際、充電トルク（発電トルク）の制御又はＨＳＧの充電トルク（発電トルク）の制御が行われる。
【００６７】
この際、トルク補償テーブルからトルク指令（Ｔｑ）とモーター速度（ｒｐｍ）による補償値が求められれば、トルク指令に補償値を反映し、補償値の反映されたトルク指令によってモーターに対するトルク制御が行われる。
【００６８】
本発明においては、既存のトルク補償テーブル、つまりモーター正常状態でトルク補償値を決定するためのトルク補償テーブルを活用するとともに電流の大きさとトルクの間の線形関係（電流の大きさとトルクは一定の比率を持つ比例線形関係を持つ）を活用して減少した電流比率だけのトルクを追加的に補償することになる。
【００６９】
この際、減少した電流の比率は１−α（ここで、α＝（ＤＣ電流＿診断）／（ＤＣ電流＿正常））であるので、既存のトルク補償テーブルの各補償値（モーター正常状態で使われるトルク補償値である）に‘トルク指令×（１−α）’の値を加えた値を不可逆減磁時のトルク補償値に決定することになる。
【００７０】
すなわち、不可逆減磁時のトルク補償値は、既存のトルク補償値に加え、不可逆減磁によって減少した電流比率だけのトルク補償値（不可逆減磁時に追加的に補償されるべきトルク＝トルク指令×（１−α））をさらに反映した補償値の意味を持つことになる。
【００７１】
前記不可逆減磁時のトルク補償値は、既存のトルク補償テーブルの補償値に‘トルク指令×（１−α）’の値を実時間で掛けることで計算し、あるいは下記の表２のような不可逆減磁時のトルク補償テーブルが予め制御器に入力された状態で表２のテーブルから求めるようにすることができる。
【００７２】
【表１】
0006639887.tif 000002
【００７３】
【表２】
0006639887.tif 000003
【００７４】
表１及び表２で、‘＊’は‘×’を意味する。
【００７５】
このように、トルク補償制御の際、既存のトルク補償テーブルを用いて前記比較されるＤＣ電流値（正常状態時のＤＣ電流及び診断時のＤＣ電流）によって補償されるトルクの比率を計算した後、現在のトルク指令を基準にトルク補償を行うことになる。
【００７６】
このように、不可逆減磁の際、トルク補償値が決定されれば、そのトルク補償値が反映されたトルク指令に従ってＨＳＧの充電トルク制御が行われる。
【００７７】
次に、本発明によるモーターの不可逆減磁診断方法において、駆動モーターの永久磁石の不可逆減磁状態を診断し、不可逆減磁発生時に対応する方法について説明する。
【００７８】
図２は駆動モーターの不可逆減磁診断及び対応過程を示すフローチャートであって、図示のように、駆動モーターの永久磁石に対する不可逆減磁診断を行うための診断進入条件、つまり診断遂行のための駆動モーターの作動状態条件が予め設定される。
【００７９】
このような診断進入条件は、同一条件での比較のために後述する診断時のＤＣ電流（ＤＣ電流＿診断）を計算する過程だけでなく正常状態時のＤＣ電流（ＤＣ電流＿正常）を計算するのにも同様に適用される。
【００８０】
駆動モーターに対しては回生（すなわち、発電作動）条件で不可逆減磁診断が行われ、駆動モーターの駆動中に診断すれば、出力値が車両の外部条件（路面摩擦、路面勾配など）の影響を多く受けることになる。
【００８１】
一方、回生時には制御する分だけ回生することになり、診断時の条件が一定で診断信頼性が高くなることができ、よって駆動モーターの回生充電の際、永久磁石に対する不可逆減磁診断が行われるように診断ロジッグが設定できる。
【００８２】
ただ、不可逆減磁の診断進入条件を車両の主要回生運転点に制限することが好ましく、これにより、回生の際、駆動モーターに対するトルク指令（充電トルク指令）が設定範囲１以下であるかを確認し（Ｙ１≦ＴｏｒｑｕｅＲｅｆ≦Ｙ２）、かつ駆動モーターの温度（Ｔ１≦Ｔｍ≦Ｔ２）が設定範囲２以下であるかを確認する（Ｓ３１）。
【００８３】
前記のように、一定範囲内のモーター温度を反映する理由は、正常状態時のトルク指令積算量と診断時のトルク指令積算量を比較して両トルク指令積算量が同一であれば同一運転点と仮定することができるが、同一であるとしても運転点は温度によって変わるからであり、よって診断を行うモーター温度範囲を考慮しなければならない。
【００８４】
したがって、本発明においては、前述した条件を満足する場合、駆動モーターが発電作動してバッテリーが充電されるうち、バッテリーに充電されているＤＣ電流情報を用いて永久磁石の不可逆減磁診断を行うことになる。
【００８５】
前記ＤＣ電流情報は制御器が既存にモニタリングしている変数なので、本発明のように不可逆減磁診断のためにＤＣ電流情報を活用する場合、追加的な作業やハードウェアが必要でない。
【００８６】
よって、同一条件で求められる正常状態でのＤＣ電流情報と診断時のＤＣ電流情報を比較して駆動モーターの永久磁石の不可逆減磁有無を判断することになる。
【００８７】
駆動モーターの永久磁石の不可逆減磁診断のために、まず、図２に示したように、車両出庫後の初期運行時には駆動モーターの永久磁石が正常状態であると仮定し、車両が初期運行されるとき、正常状態時のＤＣ電流値（ＤＣ電流＿正常）を計算して保存することになる（Ｓ３２〜Ｓ３４）。
【００８８】
この際、初期運行時の正常状態で制御器が駆動モーターの作動状態情報を取得し、それから前述した診断進入条件を満足するかどうかを確認した後（Ｓ３１）、進入条件を満足する場合、駆動モーターの発電作動によってバッテリーに充電されているＤＣ電流値（ＤＣ電流＿正常）を計算して保存する（Ｓ３２〜Ｓ３４）。
【００８９】
不可逆減磁判断のために、後述するようにモニタリングするＤＣ電流と同一条件で比較するために正常状態時のＤＣ電流値（ＤＣ電流＿正常）の計算が行われる条件は駆動モーターの永久磁石の不可逆減磁診断が進入する条件、つまり前述した診断進入条件に設定される。
【００９０】
また、好適な実施例において、正常状態時のＤＣ電流値（ＤＣ電流＿正常）情報は、前述した診断進入条件を満足するとき、条件を満足した時点からＤＣ電流値を積算したＤＣ電流積算値であることができる（Ｓ３４段階参照）。
【００９１】
また、条件を満足した時点から駆動モーターのトルク制御（充電トルク制御）のためのトルク指令値（充電トルク指令値）（ＴｏｒｑｕｅＲｅｆ）を積算し、その積算値が所定の設定値（Ｚ）になる時点まで（Ｓ３３段階参照）ＤＣ電流値を積算する。
【００９２】
ＨＳＧのアイドル充電時とは異なり、駆動モーターの回生充電は一定の運転点で行われなく、正常状態であるときと不可逆減磁が発生したときのＤＣ電流値を比較するためには、同一運転点又は同一条件を持つ状況で比較しなければならない。
【００９３】
このために、本発明は、トルク積算値を使い、トルク積算値が同一時点で求められたＤＣ電流値情報、つまり正常状態時のＤＣ電流（ＤＣ電流＿正常）値情報と診断時のＤＣ電流（ＤＣ電流＿診断）値情報を比較して不可逆減磁の発生を判断することになる。
【００９４】
ここで、正常状態時のＤＣ電流値（ＤＣ電流＿正常）情報と診断時のＤＣ電流値（ＤＣ電流＿診断）情報はいずれもＤＣ電流積算値であり、診断進入条件を満足した後、積算されたトルク指令積算値が設定値（Ｚ）になったときまでＤＣ電流を積算したＤＣ電流積算値である。
【００９５】
回生時のトルクとバッテリー充電ＤＣ電流は比例関係にあり、運転点が異なっても積算されたトルク量が同一であれば、トルクが積算された時間のうちに積算されたＤＣ電流量も同一になる。
【００９６】
この点を考慮してトルク指令の積算量が設定値（Ｚ）になるまでＤＣ電流値情報としてＤＣ電流を積算してＤＣ電流積算値を計算し、正常状態時のＤＣ電流値情報と不可逆減磁時のＤＣ電流値情報を比較して永久磁石の不可逆減磁の発生を判断することになる。
【００９７】
ただ、トルク急変時にはトルク積算量が変わることができるので、前述した診断進入条件の中でトルク指令（ＴｏｒｑｕｅＲｅｆ）が設定範囲１以下の条件（Ｙ１＜ＴｏｒｑｕｅＲｅｆ＜Ｙ２）を満足するとき、トルク積算が行われる。
【００９８】
本発明において、トルク指令の範囲は主要回生運転点に制限して設定し、条件を満足する範囲を大きくすることが好ましい。
【００９９】
駆動モーターの回生作動のうちにバッテリーに充電されるＤＣ電流値は環境に優しい自動車においてセンサーなどによって既にモニタリングされている変数で、ＤＣ電流値の取得は公知の技術的事項なのでその詳細な説明を省略する。
【０１００】
前記のように、制御器が正常状態時のトルク指令積算値（ＴｏｒｑｕｅＲｅｆ＿正常）とＤＣ電流値情報であるＤＣ電流積算値（ＤＣ電流＿正常）を積算してから保存することになり（Ｓ３４）、不可逆減磁を判断するために、同一診断進入条件、つまり回生時、及び設定範囲１以下のトルク指令条件、設定範囲２以下の駆動モーター温度条件で比較を行うので、診断の信頼性を高めることができることになる。
【０１０１】
ついで、追後の車両運行過程で駆動モーターの作動状態を確認し（Ｓ３５）、前述した診断進入条件を満足する場合、不可逆減磁診断過程に進み、正常状態時と同一の方式でトルク指令を積算し、診断のためのＤＣ電流値（ＤＣ電流＿診断）を計算する（Ｓ３６）。
【０１０２】
この際、診断時のＤＣ電流値（ＤＣ電流＿診断）は、診断進入条件を満足した後、トルク指令積算値が前記正常状態と同一設定値（Ｚ）になるまで（Ｓ３７段階参照）ＤＣ電流を積算して得たＤＣ電流積算値（ＴｏｒｑｕｅＲｅｆ＿診断）として取られる。
【０１０３】
前述したＨＳＧにおいては、不可逆減磁の発生を判断するためのＤＣ電流値（ＤＣ電流＿診断）情報として設定時間（Ｘ）以上のうちのＤＣ電流の平均値を計算して比較値として使うが、駆動モーターではＤＣ電流値（ＤＣ電流＿診断）情報としてＤＣ電流の積算値を比較値として使用するものである。
【０１０４】
ついで、制御器は、求められた診断時のＤＣ電流値（ＤＣ電流積算値）（ＤＣ電流＿診断）を保存された正常状態時のＤＣ電流値（ＤＣ電流積算値）（ＤＣ電流＿正常）と比較して不可逆減磁有無及び減磁程度を判断することになり、診断時のＤＣ電流値（ＤＣ電流＿診断）が正常状態時のＤＣ電流値（ＤＣ電流＿正常）に対して所定の設定比率３以下の場合、不可逆減磁と判断する。
【０１０５】
すなわち、正常状態時のＤＣ電流（ＤＣ電流＿正常）に対する診断時のＤＣ電流（ＤＣ電流＿診断）の比率値、つまり（ＤＣ電流＿診断）／（ＤＣ電流＿正常）をαとし、設定比率３の値をＡであるとするとき、α≦Ａであれば不可逆減磁が発生したと判断する（Ｓ３９）。
【０１０６】
好適な実施例において、不可逆減磁の発生程度によって不可逆減磁によって車両性能に及ぶ影響を最小化することができるようにトルク補償制御によって対応し、あるいは故障を確定して警告装置を介して運転者に知らせる過程を行うことができる。
【０１０７】
この際、所定の設定比率４の値をＢ（Ｂ＜Ａ）であるとするとき、Ｂ＜α≦Ａであれば不可逆減磁と判断した後、駆動モーターに対するトルク補償制御を行い（Ｓ３９、Ｓ４０、Ｓ４１）、診断時のＤＣ電流（ＤＣ電流＿診断）が保存された正常状態時のＤＣ電流（ＤＣ電流＿正常）に対して所定の設定比率４以下の場合、つまりα≦Ｂの場合、駆動モーターの永久磁石の不可逆減磁故障に確定して警告装置を介して警告することになる（Ｓ４０、Ｓ４２）。
【０１０８】
このように、回生時に行われる駆動モーターの不可逆減磁の診断では、同一条件で正常時と診断時の比較が行われるようにトルク指令積算値を先に比較し（同一設定値（Ｚ）使用）、正常状態と診断時のトルク指令積算値が同一である場合、そのときまで計算されたＤＣ電流積算値であるＤＣ電流値情報を用いて不可逆減磁を判断する。
【０１０９】
また、トルク指令積算値を基準にＤＣ電流積算値を比較する場合、駆動モーターの温度によって変わるＤＣ電流量を考慮することができないので、駆動モーターの温度が設定温度範囲（設定範囲２）以下の場合、トルク指令積算を行う。
【０１１０】
前記駆動モーターに対する不可逆減磁の判断時に行われるトルク補償制御においては、前述したＨＳＧのトルク補償制御と違いがなく、前述したＨＳＧのトルク補償制御と同一方式で行われることができ、これについての詳細な説明は重複説明であるので省略する。
【０１１１】
駆動モーターの不可逆診断において、前述した診断進入条件が駆動モーター温度範囲条件を含んでいるので、温度によるＤＣ電流変化量の誤差を減らすことができるが、正確なＤＣ電流値の取得のためにモーター温度条件をあまり狭く選定すると、随時変わるモーター温度のため、診断を施行する回数が大きく減って診断機能が低下し得る。
【０１１２】
したがって、積算するトルク指令値（ＴｏｒｑｕｅＲｅｆ）の範囲を相対的に温度に敏感でない領域に選定する場合、モーター温度による影響を減らすことができ、温度範囲をより広く決定することができるので、診断施行回数を増やす効果を得ることができる。
【０１１３】
ハイブリッド自動車のような通常の環境に優しい自動車には、温度、車速条件、トルク指令値によって電流指令値を設定した電流マップが適用されており、温度の影響は速度とトルクによって違う影響を受ける。
【０１１４】
したがって、適用される電流マップを分析すれば、温度による電流指令の変化が小さい区間を把握することができ、かつ電流指令の変化幅が分かるので、不可逆減磁を決定する電流の比率を算定するときに活用すれば信頼性を一層高めることができることになる。
【０１１５】
例えば、一定温度区間での電流指令の変化率が５％以下であれば、不可逆減磁を決定する電流の比率は５％の誤差を反映して、より高い比率で電流が減少する場合、不可逆減磁と判断するようにするものである。
【０１１６】
より詳細に説明すれば、図３に示したように、主要運転点を考慮するとともに所定の高トルク範囲を除きながら電流変化が温度の影響を少なく受けるトルク区間を把握し、把握されたトルク区間をトルク指令（ＴｏｒｑｕｅＲｅｆ）を積算する設定範囲１を設定するのに反映するものである。
【０１１７】
また、電流マップにおいて電流変化が温度の影響を少なく受ける区間で電流変化率を把握し、把握された電流変化率を不可逆減磁判断比率値（Ａ、Ｂ）を選定するのに反映する。
【０１１８】
これにより、温度によるＤＣ電流変化の影響を最小化することができ、誤診断を最小化することができる。
【０１１９】
以上、本発明の実施例について詳細に説明したが、本発明の権利範囲がこれに限定されるものではなく、次の特許請求の範囲で定義している本発明の基本概念を用いる当業者の多くの変形及び改良形態も本発明の権利範囲に含まれる。
【図１】
0006639887.tif 000004
【図２】
0006639887.tif 000005
【図３】
0006639887.tif 000006